(57)【特許請求の範囲】
【請求項１】
接液部（３１）およびソレノイド部（３２）を有するポンプ本体（４１）と、前記ソレノイド部（３２）の制御を行うソレノイド制御部を有する取付ベース体（４２）とを備え、前記ポンプ本体（４１）と前記取付ベース体（４２）とが着脱自在に構成された往復動ポンプ。
【請求項２】
前記ポンプ本体（４１）が前記取付ベース体（４２）に対して複数の所定角度に設置可能である請求項１に記載の往復動ポンプ。
【請求項３】
前記ソレノイド制御部を有した前記取付ベース体（４２）が、該ソレノイド制御部に対して信号を送るシーケンサおよびプログラマブルロジックコントローラの少なくとも一方を有した制御盤近傍に設けられた請求項１または２に記載の往復動ポンプ。
【発明の詳細な説明】
【０００１】
【発明の属する技術分野】
本発明は、往復動ポンプに関し、詳しくは、構造の簡素化および小型化等を実現可能とする往復動ポンプに関するものである。
【０００２】
【従来の技術】
図６は、従来技術に係る往復動ポンプのブロック図を示したものである。図６に示すように、従来技術に係る往復動ポンプ５０は、接液部５１、ソレノイド部５２、およびソレノイド制御部５３を用いて構成されている。また、往復動ポンプ５０の外部には、往復動ポンプ５０を制御するための制御盤６０が設けられている。
【０００３】
制御盤６０には、往復動ポンプ５０のソレノイド制御部５３に電力を供給する電源部６１と、ソレノイド制御部５３に対して制御信号を発信するシーケンサ６２とが設けられている。
【０００４】
往復動ポンプ５０には、電源部６１からの電力の供給を受ける電力受給端子５４、および制御盤６０に設けられたシーケンサ６２との信号の授受を行う信号端子５５が設けられている。
【０００５】
図６に示された従来技術によれば、電力受給端子５４から供給される電力、および信号端子５５からの信号が、ソレノイド制御部５３を介してソレノイド部５２に送られ、このソレノイド部５２の動きに応じて、往復動ポンプ５０が駆動され、水や薬液等の液体の搬送、注入等が行われる。
【０００６】
また、図７は、従来技術に係る往復動ポンプの概略構成図を示したものである。図７に示すように、従来技術に係る往復動ポンプ５０は、接液部５１と、ソレノイド部５２と、ソレノイド制御部５３および各端子５４，５５を備えた取付ベース部５６とを用いて構成されている。
【０００７】
図６および図７に示された従来技術に係る往復動ポンプ５０は、モータ駆動型の往復動ポンプと比較して制御が容易であるために、近年は、多機能化が求められている。
【０００８】
【発明が解決しようとする課題】
しかしながら、上記従来技術に係る往復動ポンプにおいては、多機能化を実現するために、外部から複数の機能についての制御を行う場合には、電力の供給を受ける配線の他に、制御のための信号を受ける信号線を複数配線する必要が生ずる。したがって、往復動ポンプと制御盤との間の配線が増加して装置が煩雑になるとともに、配線工程も増加するので、配線に関するコストが上昇するという問題があった。
【０００９】
また、上記従来技術に係る往復動ポンプは、水や薬液等の液体の搬送、注入等に用いられ、基本的には水や薬液等の液体の近辺に配設されるので、各構成部を防滴構造とする必要があり、ソレノイド制御部５３、電力受給端子５４、および信号端子５５の近傍については、漏電等を防止するために、特に厳重に防滴構造とする必要がある。したがって、パッキン等を用いてシールを行わなければならず、そのために、部品点数が増加するという問題があった。
さらに、多機能化を実現するために複数の配線を用いて制御盤と接続された往復動ポンプにおいては、配線の増加に伴って防水性の確保が困難となり、さらに多くのパッキン等が必要となるので、やはり部品点数が増加するという問題があった。
【００１０】
また、上記従来技術に係る往復動ポンプは、接液部５１、ソレノイド部５２およびソレノイド制御部５３が一体不可分的な構成であるため、上述したように、漏電等を防止するために、往復動ポンプ全体を厳重に防滴構造とする必要がある。
さらに、各構成要素が一体不可分であるために、例えば接液部５１の位置を変更したい場合には、ソレノイド制御部５３等を含んだ往復動ポンプ全体としてその位置を変更する必要がある。したがって、所望の位置に接液部５１を設置しようとすると、往復動ポンプ全体を取り外した後に所望の位置に取り付ける等の作業が必要となる。また、その際には、周囲に設けられた配管等の他の要素との関係から、設置範囲が限定され、位置の変更が非常に困難な場合もある。
【００１１】
そこで、本発明は、上記従来技術の問題を解決するためになされたものであって、往復動ポンプと制御盤との間の配線の煩雑さを無くして簡単な構造を達成し、比較的容易に防滴構造を可能とする往復動ポンプを提供することを課題とする。
また、本発明は、接液部およびソレノイド部と、ソレノイド制御部とを着脱自在に構成することによって、接液部についての防滴構造を比較的容易に可能とし、接液部の位置の変更を容易に行うことができる往復動ポンプを提供することを課題とする。
【００１２】
【課題を解決するための手段】
すなわち、上記課題を解決するための本発明に係る往復動ポンプは、接液部３１およびソレノイド部３２を有するポンプ本体４１と、前記ソレノイド部３２の制御を行うソレノイド制御部を有する取付ベース体４２とを備え、前記ポンプ本体４１と前記取付ベース体４２とが着脱自在に構成されたことを特徴とする。
【００１３】
本発明に係る往復動ポンプによれば、前記ポンプ本体４１と前記取付ベース体４２とが着脱可能であるため、前記ポンプ本体４１のみを水や薬液等の液体の近辺に配設し、前記ソレノイド制御部を有した前記取付ベース体４２を水や薬液等の液体から離れた位置に配設することができる。したがって、このような構成によれば、前記接液部３１等を有したポンプ本体４１の防滴構造を比較的容易に実現することができる。また、前記ポンプ本体４１のみを、限られた狭い範囲、あるいは壁面等に設けることも可能となる。したがって、接液部３１の位置を比較的自由に設定することが可能となる。
【００１８】
また、本発明に係る往復動ポンプにおいては、前記ポンプ本体４１が前記取付ベース体４２に対して複数の所定角度に設置可能である構成であることが好ましい。
【００１９】
この好ましい例によれば、容易に前記接液部３１の位置（設置角度等）を変更することが可能となる。したがって、前記接液部３１の位置が、配管等の制約に対して容易に対応（変更）可能となるので、例えば、操作面を一定方向に設定した状態で（前記取付ベース体４２を固定した状態で）あっても、配管構成等に合わせて必要に応じて前記接液部３１の位置を変更させることが可能となる。
【００２０】
また、本発明に係る往復動ポンプにおいては、前記ソレノイド制御部を有した前記取付ベース体４２が、前記ソレノイド制御部に対して信号を送るシーケンサおよびプログラマブルロジックコントローラの少なくとも一方を有した制御盤近傍に設けられた構成であることが好ましい。
【００２１】
【発明の実施の形態】
以下、図面に基づいて、本発明の実施の形態について説明する。
【００２２】
図１は、本発明の実施形態に係る往復動ポンプのブロック図を示したものである。図１に示すように、本実施形態に係る往復動ポンプは、接液部１１とソレノイド部１２とを用いて構成されたポンプ本体１０と、ソレノイド部１２の制御を行うための信号を発信するソレノイド制御部２１とを備えている。ここで、ソレノイド制御部２１は、ポンプ本体１０の外部に設けられた制御盤２０内に備えられている。
【００２３】
制御盤２０内には、ソレノイド制御部２１と、ソレノイド制御部２１に電力を供給する電源部２２と、ソレノイド制御部２１に対して制御信号を発信するシーケンサ２３とが設けられている。また、制御盤２０には、ソレノイド制御部２１からの信号をポンプ本体１０側に送信するための制御盤側端子２４が設けられている。制御盤側端子２４とソレノイド制御部２１とは、電気的に接続されている。
【００２４】
さらに、ポンプ本体１０には、ソレノイド制御部２１からの信号を受信するポンプ本体側端子１３が設けられており、このポンプ本体側端子１３とソレノイド部１２とは、電気的に接続されている。
【００２５】
そして、制御盤側端子２４とポンプ本体側端子１３とは電気的に接続されており、ソレノイド制御部２１からの信号がソレノイド部１２に適当に伝達可能であるように構成されている。
【００２６】
図２は、本発明の実施形態に係るポンプ本体の概略構成図を示したものである。図２に示すように、本実施形態に係るポンプ本体１０は、接液部１１と、ソレノイド部１２と、ポンプ本体側端子（図示省略）を備えた取付ベース部１４とを用いて構成されている。
【００２７】
本実施形態においては、取付ベース部１４を介して、ポンプ本体１０のみを水や薬液等の液体の近辺に配設し、液体から比較的離れた位置に制御盤２０を設け、この制御盤２０によってポンプ本体１０を制御している。
【００２８】
図１および図２に示すように構成された往復動ポンプによれば、制御盤２０内に設けられたシーケンサ２３の命令に基づいてソレノイド制御部２１からソレノイド部１２に信号が送られ、この信号によってソレノイド部１２が作動し、ソレノイド部１２の動きに応じてポンプ本体１０が駆動し、接液部１１において、水や薬液等の液体の搬送等が行われる。
【００２９】
以上のように、本実施形態に係る往復動ポンプにおいては、ソレノイド制御部２１をポンプ本体１０の外部に設けているので、水や薬液等の液体の近辺に配設されるポンプ本体１０を従来よりも小型化することが可能となる。したがって、本実施形態によれば、往復動ポンプの占有スペースを減少させることができる。
【００３０】
また、本実施形態においては、ポンプ本体１０の制御部（ソレノイド制御部２１）を制御盤２０内に配設しているので、ポンプ本体１０と制御盤２０とを接続するための配線数を減少させることが可能となる。したがって、本実施形態によれば、ポンプ本体１０と制御盤２０との間の配線の煩雑さを解消することが可能となり、ポンプ本体１０と制御盤２０との間の配線工程に要するコストも削減することができる。すなわち、ポンプ本体１０と制御盤２０との電気的接続が、キャプタイヤ１本で済むため、配線工事費、材料費等の低減が可能となる。
さらに、ソレノイド制御部２１をポンプ本体１０の外部に設け、ポンプ本体１０と制御盤２０との間の配線数が減少したことに伴い、ポンプ本体１０側における防水性の確保が容易となり、従来と比較して、防滴構造を実現するために要するパッキン等の部品点数を削減することが可能となる。
【００３１】
また、本実施形態においては、ポンプ本体１０の構造を簡単にすることが可能となるので、往復動ポンプをマニホールド的に用いることも可能となる。さらに、マニホールド的に複数台使用する場合においては、各ポンプ本体（各ポンプ本体のソレノイド部）を制御するソレノイド制御部を一括して制御盤内に組み込むことが可能となるので、一元管理を容易に行うことができる。
【００３２】
また、本実施形態においては、ポンプ本体１０の外部にソレノイド制御部２１を設け、ポンプ本体１０と制御盤２０との間を接続する配線数が削減されるので、ポンプ本体１０にスペース的な余裕が生ずる。したがって、往復動ポンプの多機能化を実現することが容易となる。
【００３３】
なお、本実施形態においては、シーケンサ２３を用いて、ソレノイド制御部２１に対して制御信号を発信する構成について説明したが、本発明はこの構成に限定されるものではなく、シーケンサ２３に換えて、プログラマブルロジックコントローラ（ＰＬＣ：Ｐｒｏｇｒａｍｍａｂｌｅ  Ｌｏｇｉｃ  Ｃｏｎｔｒｏｌｌｅｒ）を用いてもよい。ここで、プログラマブルロジックコントローラとは、コンピュータ機能を内蔵させ、高級な演算処理をも可能としたものである。
【００３４】
また、本実施形態においては、制御盤側端子２４とポンプ本体側端子１３とを電気的に接続して（有線状態において）、制御盤２０（ソレノイド制御部２１）からの信号をポンプ本体１０（ソレノイド部１２）に伝達する場合について説明したが、本発明はこの構成に限定されるものではなく、例えば、制御盤２０からの信号を、無線通信を用いてポンプ本体１０に伝達するように構成してもよい。
【００３５】
さらに、上述した実施形態においては、接液部およびソレノイド部を有したポンプ本体と、ソレノイド制御部とが、はじめから別体として設けられている場合について説明したが、本発明はこの構成に限定されるものではない。したがって、例えば、ポンプ本体とソレノイド制御部とが、一体あるいは別体のどちらの形態をも取り得る構成であってもよい。
【００３６】
具体的には、本発明に係る往復動ポンプは、図３に示すような構成であってもよい。図３は、本発明の他の実施形態に係る往復動ポンプの概略構成図を示したものである。本実施形態に係る往復動ポンプ４０は、接液部３１およびソレノイド部３２を有したポンプ本体４１と、ソレノイド制御部を有した取付ベース体４２とを用いて構成されており、図３（イ）は、ポンプ本体４１と取付ベース体４２とが一体となった状態を示し、図３（ロ）は、ポンプ本体４１と取付ベース体４２とが別体となった状態を示している。
【００３７】
ポンプ本体４１（内のソレノイド部）と取付ベース本体４２（内のソレノイド制御部）とは、リード線およびコネクタ（それぞれ図示省略）を用いて電気的に接続されており、リード線等を延長することによって、その設置間隔は自在に調整することが可能である。
【００３８】
また、図３で示された往復動ポンプ４０をブロック図で示すと、図１と同様となる。すなわち、ポンプ本体４１は、接液部３１、ソレノイド部３２、およびポンプ本体側端子（図示省略）を有し、また取付ベース体４２は、ソレノイド制御部、電源部、シーケンサ、および制御盤端子（それぞれ図示省略）を有している。
【００３９】
さらに、本実施形態に係る往復動ポンプ４０は、ポンプ本体４１と取付ベース体４２とを着脱自在に構成するために、ポンプ本体４１側にポンプ本体側着脱部４１ａ、着脱凹部４１ｂを有し、取付ベース体４２側に取付ベース体側着脱部４２ａ、着脱凸部４２ｂを有している。ポンプ本体４１と取付ベース体４２との着脱状態は、図４に示されている。
【００４０】
図４は、図３の往復動ポンプを構成しているポンプ本体と取付ベース体との着脱状態の概略斜視図を示したものである。具体的には、図４は、取付ベース体４２に対してポンプ本体４１を取り付ける場合における、その順序（手順）を示したものである。
【００４１】
上述したように、ポンプ本体４１には、ポンプ本体側着脱部４１ａが形成されており、このポンプ本体側着脱部４１ａには、着脱凹部４１ｂが形成されている。着脱凹部４１ｂは、ポンプ本体側着脱部４１ａに貫通孔として形成されており、第一の着脱凹部４１ｃと第二の着脱凹部４１ｄとから構成されている。
また、取付ベース体４２には、取付ベース体側着脱部４２ａが形成されており、この取付ベース体側着脱部４２ａには、着脱凸部４２ｂが形成されている。
以下、図４に基づいてポンプ本体４１と取付ベース体４２との着脱状態（着脱の手順）について説明する。
【００４２】
ポンプ本体４１を取付ベース体４２に装着する場合には、まずはじめに、図４（イ）に示すように、ポンプ本体側着脱部４１ａを取付ベース体側着脱部４２ａに嵌合させるために、第一の着脱凹部４１ｃと着脱凸部４２ｂとの位置を合わせた状態で、ポンプ本体４１を矢印Ｘの方向に移動させる。すなわち、着脱凸部４２ｂを第一の着脱凹部４１ｃに挿入させて、ポンプ本体側着脱部４１ａと取付ベース体４２ａとを嵌合させる。ここでは、第一の着脱凹部４１ｃは、着脱凸部４２ｂがＸ方向（および反Ｘ方向）に移動可能であるように形成されている。
【００４３】
次に、図４（ロ）に示すように、取付ベース体４２を固定した状態で、ポンプ本体４１を矢印Ｙの方向に回転させる。そうすると、（見かけ上）着脱凹部４１ｂ内を着脱凸部４２ｂが移動することとなる。具体的には、着脱凸部４２ｂが、第一の着脱凹部４１ｃから第二の着脱凹部４１ｄに移動することとなる。
【００４４】
図４（ロ）に示すようにポンプ本体４１を矢印Ｙの方向に回転させた後の状態（着脱凸部４２ｂが第二の着脱凹部４１ｄ内に挿入された状態）を示しているのが、図４（ハ）である。ここで、第二の着脱凹部４１ｄは、着脱凸部４２ｂがＸ方向（および反Ｘ方向）（図４（イ）参照）に移動できないように形成されている。したがって、この図４（ロ）の状態において、ポンプ本体４１と取付ベース体４２とが固定されることとなる。
【００４５】
ポンプ本体４１を取付ベース体４２に装着する場合には、以上のように、図４（イ）、図４（ロ）、図４（ハ）の順番に、ポンプ本体４１を移動させ、また、ポンプ本体４１を取付ベース体４２から取り外す場合には、図４（ハ）、図４（ロ）、図４（イ）の順番に、ポンプ本体４１を移動させればよい。なお、ポンプ本体４１を取り外す場合には、図４（ハ）においては反Ｙ方向にポンプ本体４１を回転させ、図４（イ）においては反Ｘ方向にポンプ本体４１を移動させれば（持ち上げれば）よい。
【００４６】
また、図３および図４においては、着脱凹部４１ｂおよび着脱凸部４２ｂがそれぞれ一つずつ設けられている場合を示したが、本実施形態はこの構成に限定されるものではなく、それぞれ、必要な間隔で必要な個数の着脱凹部および着脱凸部を設けてもよい。
したがって、例えば、９０゜毎にそれぞれ４つずつ、着脱凹部４１ｂおよび着脱凸部４２ｂを設けることも可能である。このような構成とすれば、必要に応じて、ポンプ本体４１（接液部３１）の位置を９０゜毎に変更することが可能となる。その状態を示しているのが、図５である。すなわち、このような構成とすれば、図５に示すように、接液部３１を、仮想線（二点差線）で示した第一の変更位置Ａ（９０゜）、第二の変更位置Ｂ（１８０゜）、第三の変更位置Ｃ（２７０゜）の各位置に設置することが可能となる。
【００４７】
以上説明したように、本実施形態に係る往復動ポンプ４０は、ポンプ本体４１と取付ベース体４２とが着脱自在に構成されている。
このような構成であれば、着脱凹部および着脱凸部を適当な位置に適当な個数だけ設けることによって、容易に接液部３１の位置を変更することが可能となる。したがって、接液部３１の位置が、配管等の制約に対して容易に対応（変更）可能となるので、例えば、操作面を一定方向に設定した状態で（取付ベース体４２を固定した状態で）あっても、配管構成等に合わせて必要に応じて接液部３１の位置を変更させることが可能となる。
【００４８】
また、ポンプ本体４１が着脱可能であるため、ポンプ本体４１のみを水や薬液等の液体の近辺に配設し、ソレノイド制御部を有した取付ベース体４２を水や薬液等の液体から離れた位置に配設することができる。したがって、このような構成とすることにより、接液部３１等を有したポンプ本体４１の防滴構造を比較的容易に実現することができる。
さらに、ポンプ本体４１と取付ベース体４２とが着脱可能であるので、ポンプ本体４１のみを限られた狭い範囲、あるいはを壁面等に設けることも可能となる。したがって、接液部３１の位置を比較的自由に設定することが可能となる。
【００４９】
なお、以上のようにポンプ本体４１を取付ベース体４２から取り外して用いる場合には、ポンプ本体４１を設置するために、ポンプ本体側着脱部４１ａに対して、取付ベース体４２に換わる何らかのベース体（図示省略）を設けてもよい。
【００５０】
また、本実施形態においては、ソレノイド制御部を有した取付ベース体４２が、ソレノイド制御部に対して信号を送るシーケンサおよびプログラマブルロジックコントローラの少なくとも一方を有した制御盤近傍に設けられた構成であることが望ましい。
【００５１】
このような構成であれば、ポンプ本体４１（内のソレノイド部３２）の制御部（ソレノイド制御部）を有した取付ベース体４２を制御盤（図示省略）近傍に配設しているので、取付ベース体４２と制御盤とを接続するための配線距離等を減少（縮小）させることが可能となる。したがって、本実施形態によれば、取付ベース体４２と制御盤との間の配線の煩雑さを解消することが可能となり、取付ベース体４２とと制御盤との間の配線工程に要するコストも削減することができる。また、ここでは、取付ベース体４２を制御盤近傍に配設する場合について説明したが、場合によっては、取付ベース体４２を制御盤内に配設してもよい。
【００５２】
【発明の効果】
以上説明したように、本発明によれば、ポンプ本体の外部に設けられた制御盤内にソレノイド制御部を設けたので、往復動ポンプ（ポンプ本体）と制御盤との間の配線の煩雑さを無くして簡単な構造を達成し、比較的容易に防滴構造を可能とする往復動ポンプを得ることができる。また、接液部およびソレノイド部と、ソレノイド制御部とを着脱自在に構成することによって、接液部についての防滴構造を比較的容易に可能とし、接液部の位置の変更を容易に行うことができる往復動ポンプを得ることができる。
【図面の簡単な説明】
【図１】本発明の実施形態に係る往復動ポンプのブロック図
【図２】本発明の実施形態に係るポンプ本体の概略構成図
【図３】本発明の他の実施形態に係る往復動ポンプの概略構成図
【図４】図３の往復動ポンプを構成しているポンプ本体と取付ベース体との着脱状態を示す概略斜視図
【図５】ポンプ本体を取付ベース体に対して種々変更させた状態の一例を示した、往復動ポンプの上面図
【図６】従来技術に係る往復動ポンプのブロック図
【図７】従来技術に係る往復動ポンプの概略構成図
【符号の説明】
１０    ポンプ本体
１１，３１    接液部
１２，３２    ソレノイド部
１３    ポンプ本体側端子
１４    取付ベース部
２０    制御盤
２１    ソレノイド制御部
２２    電源部
２３    シーケンサ
２４    制御盤側端子
４０    往復動ポンプ
【図１】
0004206159.tif 000002
【図２】
0004206159.tif 000003
【図３】
0004206159.tif 000004
【図４】
0004206159.tif 000005
【図５】
0004206159.tif 000006
【図６】
0004206159.tif 000007
【図７】
0004206159.tif 000008